(57)【要約】  デバイス（１０）は、ハウジング（１２）と、一つ以上の変数（Ｔ）をモニタするための制御装置（１８）と、電源部（２０）とを備え、電界（Ｅ）が最小化されるように、ハウジング（１２）は設計され、通信ユニット（１６）は部分的にハウジング（１２）に配置される、ことを特徴とする、高電圧の環境に関する無線センサデバイス（１０）。
2015502522.tif 000002
【特許請求の範囲】
【請求項１】
中央装置（３０）とワイヤレスで通信するように調整される、高電圧の環境に関する無線センサデバイス（１０）であって、デバイス（１０）は温度（Ｔ）のような一つ以上のパラメータをモニタするための制御装置（１８）および電源部（２０）を囲んでいるハウジング（１２）を備え、前記ハウジング（１２）が金属からなり、電界（Ｅ）が最小化されるように設計され、通信ユニット（１６）は、少なくとも部分的にハウジング（１２）に配置される、ことを特徴とする無線センサデバイス。
【請求項２】
通信ユニット（１６）は、ハウジング（１２）と統合されているアンテナを含む請求項１に記載の無線センサデバイス（１０）。
【請求項３】
通信ユニット（１６）は、ハウジング（１２）に配置されているアンテナを含む請求項１に記載の無線センサデバイス（１０）。
【請求項４】
制御装置（１８）は、ハウジング（１２）の外側で温度（Ｔｏｕｔｓｉｄｅ）を測定するかまたはモニタするための温度センサ（１５）と通信するように調整される、請求項１乃至３のいずれかに記載の無線センサデバイス（１０）。
【請求項５】
センサ（１５）はまた、内部の温度（Ｔｉｎｓｉｄｅ）を測定するように調整されることを特徴とする請求項４に記載の無線センサデバイス（１０）。
【請求項６】
制御装置（１８）は、モニタされたパラメータ、例えば外気温度、Ｔｏｕｔｓｉｄｅにより起動する一つ以上のアラームを生成するように調整されることを特徴とする請求項１乃至６のいずれか一つに記載の無線センサデバイス（１０）。
【請求項７】
制御装置（１８）は、履歴パラメータにより起動する一つ以上のアラームを生成するように調整されることを特徴とする、請求項１乃至６のいずれか一つに記載の無線センサデバイス（１０）。
【請求項８】
センサデバイス（１０）は、外気温度（Ｔｏｕｔｓｉｄｅ）のような一つ以上のパラメータを連続的にモニタするように調整されることを特徴とする請求項１乃至７のいずれか一つに記載の無線センサデバイス（１０）。
【請求項９】
通信ユニット（１６）のアンテナ・スロットは、プリント回路基板（１７）上に配列されることを特徴とする、請求項２または３に記載の無線センサデバイス（１０）。
【請求項１０】
制御装置（１８）および電源（２０）を備えた主回路基板（１７）を更に有することを特徴とする請求項１乃至９のいずれか一つに記載の無線センサデバイス（１０）。
【請求項１１】
基板（１２ｂ）は、センサデバイス（１０）を取り付けるために、固定手段（１３）を有することを特徴とする請求項１乃至１０のいずれか一つによる無線センサデバイス（１０）。
【請求項１２】
基板（１２ｂ）は、断路器にセンサデバイス（１０）を取り付けるために、テープ固定手段（１３）を有することを特徴とする請求項１乃至１  １のいずれか一つに記載の無線センサデバイス（１０）。
【請求項１３】
基板（１２ｂ）は、ケーブルにセンサデバイス（１０）を取り付けるために、バネ式の固定手段（１３）を有することを特徴とする、請求項１―１１のいずれか一つに記載の無線センサデバイス（１０）。
【請求項１４】
制御装置（３０）と通信するように調整された複数のセンサ（１０）を包含しているセンサ・デバイスシステム（４０）であって、
制御装置（３０）は、センサデバイス（１０）と通信し、制御するためのウェブ・ベースのプログラムを実行するために、インターネットにアクセスしているＰＣのような、ユーザ・インタフェース（４２）を介してユーザと通信するように調整され、
各デバイス（１０）は温度（Ｔ）のような一つ以上のパラメータをモニタするための制御装置（１８）と電源部（２０）とを囲んでいるハウジング（１２）とを有し、
ハウジング（１２）が、金属で作られ、電界が最小化されるように設計され、通信ユニット（１６）がハウジング（１２）に部分的に配置されることを特徴とする、センサ・デバイスシステム（４０）。
【請求項１５】
温度差が設定された閾値（Ｔ）を超える場合、システム（４０）は、一つ以上のセンサ（１０）から少なくとも２つの温度（Ｔ１、Ｔ２）の間の温度差を比較し、アラームを生成するように調整された、ことを特徴とする、請求項１４に記載のセンサデバイス・システム（４０）。
【請求項１６】
システム（４０）は、ライブで温度（Ｔ１、Ｔ２、Ｔ３）をモニタするように調整され、より高い電流を導通し、断路器がすることができるより、あるいは、従来のパワー・サブステーションにおいて、そうすることができる高い電圧を用いることが可能であるように、断路器に過負荷をかけるように調整されたことを特徴とする、請求項１５に記載のセンサデバイス・システム（４０）。
【発明の詳細な説明】
【技術分野】
【０００１】
本願発明は無線センサデバイスに関する。より具体的には、線路に関しパワー・システムに関して同様に、現在の本発明は、パワー生産、伝送および分布のような高電圧の環境に関し、無線センサデバイスに関する。複数のこの種のセンサデバイスを包含しているシステムに、現在の本発明も、関連がある。
【背景技術】
【０００２】
今日、開閉装置を有する高圧システムのような高圧アプリケーションは、公知である。特に、別々のサーキットブレーカおよび断路器を含んでいる開閉装置またはいわゆる「サーキットブレーカを切る」ことに関する複合ユニットは、パワー・サブステーションのインスタンスに関し用いられる。要するに、断路器は、機械動力スイッチである。
【０００３】
用語によって、６ｋＶ乃至１４００ｋＶで典型的に変動している電圧を定められ、「高圧」は、本願明細書において、ある。電流は、即ち６０００Ａと同じ程度でありえるが、典型的にこの種の高電圧のアプリケーションの２０００―３０００Ａ以下である。断路器が劣っているか、外へすり切れている場合、これらの高電流は断路器の増加の抵抗により、特に断路器の高温を起こすことができる。断路器または他の機械部品のため、どの高電流が流れるか、または、さもなければ、いずれがオペレーションの高電流により影響されるか、その（時々それらが外へ最終的に着用されるずっと前に）かくして還元動作中の時間は、著しく交換される。これは、もちろん機械部品のまた早めの交換のため、扱いにくいおよび高価である。
【０００４】
今日、断路器の動作中の時間または高電流が流れる他の機械部品を延長することが可能であるために、典型的にオペレーション1年につき２、３回を熱に撮影することによるインスタンスに関し、断路器の温度および高電流がオペレーションにおいて、流れる他の機械部品は、測定される。熱撮影法を有する欠点は、これが扱いにくいおよび高価な方法であるので、断路器または他の機械部品の温度を頻度が高く測定することが実際的および経済的な理由のため、成し遂げられることができない。断路器または他の機械部品の交換の間、パワーは停止でなければならない。可用性がパワー停止のため減少するので、それは他の欠点である。
【０００５】
本願明細書において、用語「不稼働率」は、電力が利用できないという時のフラクションに関連する。開閉装置の断路器温度が増加するときに、可能である１つの失敗は断路器が非常に最後に開弧が展開するほど、悪くなったということである。そして、結果として結果として開閉装置の少なくともパートの圧壊に導くパワー送出の破局故障および事故に導く。かくして、断路器または開閉装置の他の機械部品の温度監視は、非常に重要である。
【０００６】
典型的に温度センサ・デバイスを包含している従来のセンサデバイスは、コロナ作用による問題または高圧環境のため、火花発生が欠点である。事実、火花発生またはコロナ作用がセンサデバイスを破壊するか、または少なくとも測定を損なうので、それらは全く用いられることができない。
【０００７】
かくして、高電圧の環境の、そして、連続的にパラメータをモニタする事項の温度のようなパラメータを測定することに関する多くの問題がある。
我々の最善の知識によれば、パワーをシャットダウンせずに運転中のセンサデバイスの交換は、先行技術センサデバイスでも不可能である。
【０００８】
かくして、こうすることが可能な必要性も、インスタンスに関し可用性を増加させることが可能であろう。
【発明の概要】
【課題を解決するための手段】
【０００９】
本発明の目的は、高電圧の環境の温度のようなパラメータを測定するためのセンサデバイスを提供し、特にオペレーションの間、連続的にパラメータをモニタすることである。
本発明の一実施形態によれば、高電圧の環境間で、主装置によって、ワイヤレスで通信するように調整されるセンサデバイスは、提供される。無線センサデバイスは、一つ以上のパラメータ（例えば温度）を測定しておよび／またはモニタすることに関し制御装置を囲んでいるハウジングと、アンテナまたは光通信手段から成る通信ユニットと、電源部とを備える。ハウジングは金属でできており、電界または電圧が最小化されるような電流を導通するように設計されている。通信ユニットはハウジングに配置されるアンテナまたは光通信手段から成り、ハウジングと統合される。通信ユニットはハウジングの外側に突出する部分を有しない。
【００１０】
このようにして、高圧環境（例えば断路器上の配置）に適している無線センサデバイスは提供される。センサデバイスはコロナ作用による問題または高圧環境のため、火花発生が欠点でない。これは、次のことの故である。センサデバイスは突き出ている部分を有しなくて、薄刃を有していない丸い設計のため、高電場および／または電圧に抵抗するように設計されている。
【００１１】
測定全てまたは監視と同様に、温度計測または監視に関し理由は、失敗が誤りに展開する前に、アラームを与えることによって、失敗を回避することである。アラームは、適切な瞬間に有用な予防措置に可能性をするのに十分早いべきである。かくして、頻繁であるか、連続温度監視は、大きな利点である。これは、現在の本発明により達成される。
【００１２】
発明のデバイスによる常時監視は、ワイヤレスで機械部品から高電流によって、連続的に飛ばされることができ、信頼性は割り込みを回避する能力のため増加できる。これは、次のことの故である。これらの機械部品を有する失敗は前もって温度の増加としてモニタされることができる。
【００１３】
パワー停止する必要がないように、本願発明のセンサデバイスはオペレーションの間、交換されることもできる。これはいわゆる従来の「ホット・スティック」により達成されることができる。そして、それは主要部として、サービス人がオペレーションの間、センサデバイスを載置することができている絶縁ポールである。このようにして、パワー停止する必要がないので、不稼働率は更に最小化される。
【００１４】
典型的に、センサユニットは、温度センサ（例えば測定であるか監視指標（例えばハウジングの外側の、そして、それ内部の温度）に関し赤外線センサ）から成るかまたは通信するように調整される。
【００１５】
現在の本発明の他の実施形態によれば、モニタされたパラメータ、例えば設定された閾値を超えている外気温度、Ｔｏｕｔｓｉｄｅにより起動する一つ以上のアラームを生成するように、制御装置は、調整される。
【００１６】
このようにして、長期監視は、長年にわたって、自動であるか手動アラーム生成で達成されていることができる。発明のセンサデバイスを有する他の利点は、小型、高精度、低い老化および手頃な価格である。センサデバイスの大きな数、すなわち、サブステーション当たり１００は、必要とされるので、その価格は入手可能であるであることが重要である。
【００１７】
本発明の一実施形態によれば、複数のセンサ（センサデバイスを通信して、制御することに関しウェブ・ベースのプログラムを実行することに関し、中央装置（インターネットにアクセスしているＰＣ（パーソナル・コンピューター）のようなユーザ・インタフェースを介してユーザと通信するように調整されている中央装置）で通信するように調整される）を包含しているセンサ・デバイスシステムも、提供される。
【００１８】
本発明の特徴および効果は、以下の詳細な説明および添付の図面から更に明らかになる。
【図面の簡単な説明】
【００１９】
【図１ａ】図１ａは、本発明の一実施形態によれば高電圧の環境のアプリケーションに関し、分解された無線センサデバイスの透視図を示す。
【図１ｂ】図１ｂは、アセンブルされた図１ａと同じセンサデバイスの透視図である。
【図１ｃ】図１ｃは、図１ｂで示す同じセンサデバイスの背面図である。
【図２】図２は、断路器に載置された図１に示すような無線センサデバイスを示す。
【図３】図３は、本発明の一実施形態による、センサ・デバイスシステムを示す、ウェブインターフェースを経て図１ａ−１ｃおよび図２およびオペレータに示される無線センサデバイスを有する通信に関し中央装置を包含する。
【図４】図４は、発明のセンサデバイスおよびシステムによって、ウェブインターフェースを経た温度監視の図を示す。
【発明を実施するための形態】
【００２０】
図１を次に参照すると、それは本発明の一実施形態によれば分解されたセンサデバイスの透視図を示し、現在の発明の原則は以下の通りに描写される。図１ａは、本発明の一実施形態によれば高電圧の環境または中電圧環境（例えばパワー変電所（図示せず）の断路器（この図に示されない）にセンサデバイス１０を載置すること）のアプリケーションに適している無線センサデバイス１０を示す。センサデバイス１０は、少なくとも部分的に通信ユニット１６を囲んでいるハウジング１２と、温度センサ１５（図１Ｃを参照）によるハウジング１２の外側の温度Ｔｏｕｔｓｉｄｅのような一つ以上のパラメータを測定することおよび／またはモニタするための制御装置１８とを備える。典型的に、温度センサ１５はまた、ハウジング１２の内部の温度Ｔｉｎｓｉｄｅを測定するように調整される。通信ユニット１６は、典型的には、アンテナおよび複合レシーバ／送信器（いわゆる「トランシーバ」（単純性のため、明示的に示されない）から外部の中央装置（図示せず）を有する無線通信を有する。この図において、通信ユニット１６はアンテナ部として示され、本願明細書において、ディスクは金属により提供される。トランシーバは、あるいは、制御装置１８において、部分的に、または、完全に配置されることができるかまたは同じことによって、通信するように調整されることができる。センサデバイス１０（自動パワー供給されたデバイス１０である）は電源部２０を更に含み、本願明細書において、すべてのユニット１５、１６、１８に電力を供給することに関し、即ち１０年のオペレーションを有する適切な長寿命バッテリは各々サンプリングを１０分提供した。温度センサ１５、通信ユニット１６、制御装置１８および電源部は、各々に連結する。典型的に、ハウジング１２がカバー１２ａを有し、電界Ｅ（言い換えると電圧）が最小化されるように、基板１２ｂは表面処理またはステンレス鋼有り無しで丸くおよびアルミニウムのような金属でできており、薄刃等なしで設計される。ハウジング１２もは、アンテナ部１６を備える。アンテナ部１６の上に、プラスチックまたは他のいかなる適切な材料でもできたインスタンスに関し外側の層１６ｂは、更に提供される。典型的に、外側の層１６ｂは、テキストまたは他のシンボルにより提供される。ハウジングに関し材料の選択は、典型的に、容易に機械加工される能力の問題である。かくして、しばしば、アルミニウムは、カバー１２ａおよび基板１２ｂに関し選択される。ハウジング１２の薄刃がないので、コロナ作用は低減させられるか、またはセンサデバイス１０を囲んでいる高圧環境にもかかわらず全く存在せず、無線センサデバイス１０は提供される。そして、高圧環境問題を回避する。これは、多数の実験において、確認された。ソフトウェアによって、または、ハードウェアだけにより制御されるプログラマブルプロセッサおよび対応メモリによって、制御装置１８を、実装できる。典型的に、制御装置１８および電源２０は、プリント回路基板１７に提供される。また、エレクトロニクスまたは回路から成る通信ユニット１６および／または通信およびアンテナ部に関しソフトウェアは、典型的にプリント回路基板１７に提供されるかまたはそれに接続している。
【００２１】
センサデバイス１０の制御装置１８は、いくつかのファンクションを有することができる。たとえば、１８はあるとしても温度センサ１５およびいかなる付加的なセンサ（図示せず）も制御し、それは外部中央装置３０を有する通信を制御し、それはセンサデバイス１０同一性情報を有する温度情報を混合することができ、それは、電源部２０から電源を制御する。エレクトロニクスの例示は、センサハウジング１２の小型のため、適切な表面実装型集積された回路でありえる。
【００２２】
ホット・スティック（図示せず）により担持される取付ツールによって、グリップ１３は、握持に関し２つのｔｏｒｒｏｉｄｓの中央でも提供される。外部中央装置１１を有する通信に関し電波を生成することに関し共振空洞ロードしたアンテナ（スロット）１６が提供されるように、ハウジング１２量は選択される。全ハウジング１２は、アンテナとして作用する。アンテナ部１６は、アンテナｐｃｂ１６であることができ、ハウジング１２に配置されるアンテナまたはハウジング１２と統合されているスロットアンテナとして典型的に実施され、プリント回路基板１７にアレンジされる。プリント回路基板１７の回路（明示的に示されない）に、アンテナｐｃｂ  １６は、導体１６ａ（例えば同軸ケーブルまたは可撓ケーブル）によって、接続できる。同軸ケーブル１６ａは、永久に接続されることができるかまたは、着脱可能でありえる。典型的に、導体１６ａは、回路およびアンテナ部１６と適合するインピーダンスである。
【００２３】
上で描写されるより、他の種類のアンテナ（例えばダイポールアンテナまたはパッチアンテナさえ）はそれよりも用いられることが可能である、ただし、ハウジング１２外へ突出する部分はない。ダイポールアンテナが提供される場合に備えて、ホールはハウジング１２において、提供されなければならないかもしれない。ハウジング12外に突出した部分は、コロナ効果に苦しみ、高電圧環境でのスパークとすると、そのため適切ではないだろう。インスタンスに関しパッチアンテナは現在周知のセンサデバイスにおいて、用いられているように、動かない。これは、次のことの故である。コロナ作用はセンサデバイスを破壊する。
【００２４】
アンテナの代わりに、通信ユニット１６は、レシーバ１１を有する光通信に関し配置されることができる。インスタンスに関して、集積されたＩＲ―レシーバに気温データを送る送信器として、赤外線発光ダイオード（赤外線発光ダイオード）は、用いられることが可能である。
【００２５】
図１ｂは、図１ａと同じであるが、アセンブリされたセンサデバイスの透視図を示す。層の上の、１６ｂ、いずれがカバー１２ａに収まるように設計された直径を有している円板でありえるかは、周囲のエッジがカバーするよりいくらか低く取り付けた。このようにして、センサデバイスに届いているスパークは、層の上の１６ｂまたはハウジング内のエレクトロニクスの代わりに、カバー１２ａのエッジ１２ｄ（また、図１ａを参照）によりおそらく届く。ハウジング１２の典型的寸法は、２、３センチメートルの高さＨ（即ち３ｃｍ）であり、および、即ち１０ｍｍで十分大きいコーナー半径である。ハウジング外部１２の大部分の表面は、凸面で、特に十分大きい半径を有し、高圧環境のスパーク／コロナ問題を低減させる。半径／高さ比率Ｒ／Ｈは、ボリュームＶを決定する。
【００２６】
ボリュームＶはコロナ作用を回避するように選択される、しかし、最も小さい可能なボリュームＶｍｉｎはラジオ要件に従って必要とされる。
この特定の実施形態では、ハウジング１２は、互いに面している２つのｔｏｒｒｏｉｄｓとして設計され、しかし、また、他の円は、特定のボリュームＶ（特定の半径Ｒおよび高さＨに対応する）を有する設計をし、突出部なしで設計され、および／または、薄刃は、その代わりに使用されることができる。多数の算出および実験は、高さ３０ｍｍ  Ｈおよび約５ｍｍのコーナー半径を有するハウジング１２を示し、約１０ｋＶ／ｍのフィールドの強さにより影響され、コロナ問題に関し制限の下にあり、乾燥雰囲気で約１７―１８ｋＶである。
【００２７】
センサ１５は、例えば、ハウジング１２の外側の温度Tｏｕｔｓｉｄｅおよび内側Tｉｎｓｉｄｅの温度を測定またはモニタするための赤外線（ＩＲ）センサのような、従来の温度センサでありえる。センサデバイスが載置される表面の温度を基板１２ｂおよびモニタにおいて、提供される目１２ｅを介して赤外線センサ１５は見る。また、他のタイプのセンサは、センサのいかなる適切なオール・デジタル設計タイプも包含して加えられることが可能である。
【００２８】
現在の本発明のこの具体例において、断路器（図示せず）にセンサデバイス１０を接続することに関し、基板１２ｂは、テープ固定手段１３から成る。テープ固定手段１３は、自体が典型的に従来型の高品質産業二重接着剤表面テープである。付加的な金属板（図示せず）は目１２ｅを通じて取り付けられることができ、次いで、温度センサ１５は赤外線より他のタイプでありえる。封止プレート１５ａおよび／または、または、センサ座席１５ｂ（図１ａを参照）は、提供されることもできる。
【００２９】
スイッチを開閉することに関しその２つの旋回しているポスト絶縁物２２については、図２は、いわゆる「中心破壊断路器」２０を示す。典型的に、断路器２０および無線センサデバイス１０は、高圧環境（例えばパワー変電所）に位置する。パワー変電所および断路器２０は、それ自体がいかなる従来型でありえる。センサデバイス１０が載置される断路器２０による電流に、測定されるかまたはモニタされる温度は、関連がある。
【００３０】
図２は、三相システムＰ１、Ｐ２、Ｐ３の断路器２０に載置する図１の無線センサデバイス１０を示す。典型的には、例えば、3つのセンサ素子10には、複数の各断路器20は、各旋回アーム22上の1つ及び断路位置に示す二旋回アーム22の中央に1つずつ取り付けられ、すなわちスイッチオープンである。典型的に、三相Ｐ１、Ｐ２、Ｐ３の各位相は、３台のセンサデバイス１０で提供される。各位相（たとえば第一相Ｐ１）は温度Ｔ１を有することができる。そして、それぞれ、他の位相Ｐ２、Ｐ３を有している温度Ｔ２およびＴ３と異なる。これは、以下の通りに更に説明される。
【００３１】
別の実施形態として、センサ・デバイスをケーブル心線（図示せず）に取り付けることに関し、ベースプレートは、バネ式の固定手段から成る。バネ式の固定手段は、センサ・デバイスを保つことに関しエレメントを固定している１つのスナップおよびバネ式の固定手段をケーブル心線に固定することに関しエレメントを固定している１つのスナップを含むことができる。
【００３２】
サブステーション（図示せず）に位置する中央装置３０を有する例えば８６８または２，４ＧＨｚＭＨｚ―バンドを利用しているラジオを介して通信する、複数のセンサ１０（複数の断路器（単純性のため、示されない）に典型的に据え付けた）を包含している本発明の一実施形態によれば、図３は、センサ・デバイスシステム４０を示す。３Ｇ／ＧＳＭ（登録商標）、ＧＰＲＳ、ＬＴＥのような従来のワイヤまたは無線通信を経てサブステーションにあるより、中央装置３０は典型的に他の場所に位置するユーザと情報交換する。このようにして、ユーザ・インタフェース４２（例えば通信して、センサ・デバイス１０を制御することに関しウェブ・ベースのプログラムを実行することに関しインターネットへのＰＣを有しているアクセス）を介してセンサ・デバイス１０へのアクセスを有し、ユーザは、物理的にほぼどこにでも位置できる。センサ装置１０が測定情報と共に送られるそれ自身の識別コードを各々有するので、いくつかのセンサ・デバイス１０は同じ中央装置３０に送ることができる。それから、それがユーザにプレゼンテーションに関しフォーマットに変換されるユーザ・インタフェース４２に、中央装置３０は、受信測定情報を送る。
【００３３】
センサ・デバイス１０のエレクトロニクスの複雑さを抑えるために、警報を生成することに関し、センサ１０を確認して、異なるセンサ・デバイスの間に温度Ｔ１、Ｔ２、Ｔ３または温度Ｔ１、Ｔ２、Ｔ３の差を算出することが可能であるために、中央装置３０の、および／またはユーザ・インタフェース４２のソフトウェアは、より多くを洗練されることができる。
【００３４】
センサデバイス１０は、典型的に、ユーザ・インタフェース４２のウェブ・ベースのプログラムにより制御されるユーザであり、断路器のような機械式導体の許容電流積荷の算出も、環境条件（例えば、気温、風、太陽など）を考慮する。資産データベースは、導体に関する情報を含むことができて、ウェブ・ベースのプログラムのパートでありえる。
【００３５】
ソフトウェアは、測定したデータをいかなる選択されたアラーム基準とも比較するように調整されることもできる。ユーザにアラートおよびアラームを生成することに関し、アラームおよび履歴データは、用いられることが可能である。
【００３６】
これは図４において、例証される。そして、それは温度監視の図をセンサデバイスによって、ウェブインターフェースを経て示す。
最も単純なアラーム基準は、特定のタイプの断路器または他のいかなる機械部品（典型的にＩＥＣ規格または他のいかなる標準によっても与えられる）に関しも許容される１つより高い温度に関しアラームを提供することでありえる。温度である場合、本願明細書において、第三相Ｌ３の温度が設定された閾値「アラーム」を上回り、アラームは、自動的に、または、手動で生成される。用語「手動」は、閾値が越えられる時、ユーザが警報を伝えることを意味する。
【００３７】
他のより精巧なアラームは、それらＴ１、Ｔ２、Ｔ３の間に温度を比較するために、システムの三相Ｐ１、Ｐ２、Ｐ３を用いることができることになっている。断路器が新たに、しかし、正常に多くなく、位相の一つがより高い抵抗を有する場合いくつかのオペレーションの後異なることができるとき、抵抗パターンは三相Ｐ１、Ｐ２、Ｐ３の間で異なることができる。かくして、三相Ｐ１、Ｐ２、Ｐ３は比較されることができ、三相のいずれかが設定された閾値「アラーム」を上回る場合、または、三相Ｐ１、Ｐ２、Ｐ３が他の設定された閾値より温度Ｔ１、Ｔ２、Ｔ３において、異なる場合、アラームは起動できる。この図において、第三相Ｐ３が設定された閾値「アラーム」を上回るかは、示される。アラームは、他のいかなる設定された閾値もまたはパラメータ（例えば温度センサ・デバイスの内外で温度のあまりに高い違い）により起動することもできる。
【００３８】
温度Ｔ１、Ｔ２、Ｔ３がライブでモニタされる場合、断路器定格電流より高い電流を導通することは可能である。かくして、断路器は一定条件の下で負担をかけられすぎることができる。そして、センサデバイス・システム４０により制御される。これは、ソフトウェアによって、少なくとも部分的に実装されることができる。
【００３９】
かくして、現在の発明は、温度監視にさえそのようなものを提供し、それもオーバローディングの中で意図的な短期可能である。開閉装置に関し時定数は、断路器に関し約３０分でもよい。特にオーバーロードが定格電流の下でレベルから始まる場合、短い期間に関し、これは、最大許容温度を超えることのないその定格電流より上に、開閉装置がロードされることができることを意味する。発明の温度監視については、開閉装置の温度過上昇を、回避できる。これは、ソフトウェアによって、少なくとも部分的に実装されることができる。
【００４０】
現在の本発明の別の実施形態によれば、センサデバイス１０は、水位指示器を含む。それから、警報信号は、設定された閾値を超えている水位の場合には、中央装置３０に送られる。
【００４１】
電源は、バッテリであり、パラメータがしばしば測定されて／モニタされるかという最高１２年の動作中の時間とレシーバに報告を有し得る。測定／報道間のより長い時間分割は、バッテリ動作中の時間を増加させる。典型的時間分割は、１０分である。また、最適パワーまたは低下した送信機パワーが可能ならば用いられるように、送信機パワーを、制御できる。
【００４２】
別の実施形態として、測定が重要であるので、測定されて／モニタされて、断路器アーム２２のような機械部品において、電流が流れている場合にだけ、誘導パワー・ジェネレータ・ユニット（図示せず）によって、センサデバイス１０を駆動するために断路器アーム２２を囲んでいる交番磁界を用いることは可能である。断路器アーム２２のまわりの変圧器鉄板の、そして、コイルによるストリップを取り付けることによって、これは、インスタンスに関し提供されることができる。一次電流が十分に高いならば、コイルはセンサデバイス１０に充分な出力電圧（即ち、＞４０Ａ（５０Ｈｚ）を提供する。誘導パワー・ジェネレータ・ユニットは、発生することがありえる高電流に耐えるように典型的に設計されている。典型的に、制御装置１８のセンサ・エレクトロニクスは、コイルから電源電圧を調整して、調整する。代わりの構成は、互いに基本的に垂線を配置されているコイルを含むことができる。
【００４３】
前記説明の全体にわたって断路器上の使用に関し監視温度に関しセンサデバイスに関係するとして技術が描写されると共に、高電圧の環境において、モニタされるかまたは測定されるいかなるパラメータにも本願明細書において、描写される実施形態を実施することが可能であることは本願明細書において、十分に企図される。したがって、そのまま前述のセンサデバイスは、現在描写されたデバイスだけの実施形態と考えられるべきである。
【００４４】
前述の詳細な説明は、本発明のより簡単な理解を例示して、提供することを目的として、限定として解釈されるべきでない。別の実施形態は、現在の本発明の精神と範囲から逸脱することなく当業者にとって明らかになる。
【図１Ａ】
2015502522.tif 000003
【図１Ｂ】
2015502522.tif 000004
【図１Ｃ】
2015502522.tif 000005
【図２】
2015502522.tif 000006
【図３】
2015502522.tif 000007
【図４】
2015502522.tif 000008
【国際調査報告】
2015502522.tif 000009
2015502522.tif 000010
2015502522.tif 000011
2015502522.tif 000012